(57)【要約】【課題】筐体内に設けるマイクロフォンに関して防水性及び遮音性を両立し得る構成を提供する。【解決手段】筐体１１内に収容されるマイク５０の集音面５２に対向するマイク用開口１３が筐体１１に形成され、このマイク用開口１３を内側から覆う防水シート６０と、この防水シート６０のマイク用開口１３が投影される領域Ｓと集音面５２とを環状に囲って他の筐体内空間と区画する遮音部７０と、が設けられている。【選択図】図３
2018019391.tif 000002
【特許請求の範囲】
【請求項１】
筐体内にマイクロフォンが収容される携帯端末であって、
前記筐体には、前記マイクロフォンの集音面に対向する開口が形成され、
前記開口を内側から覆う防水部材と、
前記防水部材の前記マイクロフォン側の面のうち前記開口が投影される領域の少なくとも一部と前記集音面とを環状に囲って他の筐体内空間と区画する遮音部と、
を備えることを特徴とする携帯端末。
【請求項２】
前記遮音部は、前記防水部材に対して環状に接着されることを特徴とする請求項１に記載の携帯端末。
【請求項３】
前記遮音部は、前記マイクロフォンに対して環状に接着されることを特徴とする請求項１または２に記載の携帯端末。
【請求項４】
前記遮音部は、弾性部材により構成されることを特徴とする請求項１〜３のいずれか一項に記載の携帯端末。
【請求項５】
前記遮音部は、集音面側から圧入されて前記マイクロフォンの外周面を覆う圧入面を備えることを特徴とする請求項１〜４のいずれか一項に記載の携帯端末。
【請求項６】
前記遮音部は、前記マイクロフォンの前記集音面が設けられる面のうち当該集音面を囲う外縁部に対して環状に接触する面と前記圧入面とが連なってなる環状段部を備えることを特徴とする請求項５に記載の携帯端末。
【発明の詳細な説明】
【技術分野】
【０００１】
本発明は、筐体内にマイクロフォンが収容される携帯端末に関するものである。
【背景技術】
【０００２】
従来、筐体内にマイクロフォンが収容される携帯端末に関する技術として、例えば、下記特許文献１に開示される携帯端末装置が知られている。この携帯端末装置は、下側筐体内にマイクロフォンが収容されており、このマイクロフォンは、その音孔面が下側筐体のキー側ケースに形成されるマイク音孔から露出するように、キー側ケースの内側に固定されている。そして、マイクロフォンが実装されるサブ基板を固定するための保持金具に対してキー側ケースに設けられる壁を当接させることで、この壁が遮音壁を構成し、マイク実装部が密閉に近い空間になるように構成されている。
【先行技術文献】
【特許文献】
【０００３】
【特許文献１】特開２００８−１８２２９６号公報
【発明の概要】
【発明が解決しようとする課題】
【０００４】
ところで、上述した特許文献１の構成のように、マイクロフォンの集音面（音孔面）が筐体に形成されるマイク用開口（マイク音孔）から露出するようにケース内側に固定される構成では、そのマイク用開口から集音面に水滴等が流入する可能性があるため、防水性を確保できないという問題がある。このため、マイク用開口を防水シート等で内側から覆った状態で集音面とマイク用開口とが対向するようにマイクロフォンを配置すると、防水性を確保できても、マイク用開口を介した外部からの発話音等がマイク用開口と集音面との間から漏れて筐体内部で拡散しやすくなり、ボリューム感、クリア感が低下してしまうという問題がある。また、筐体が叩かれた場合や筐体が擦られた場合など、外部からの衝撃等に起因して筐体内にて生じる反響音（以下、内部反響音ともいう）が、マイク用開口と集音面との間を介して集音されやすくなるという問題がある。
【０００５】
本発明は、上述した課題を解決するためになされたものであり、その目的とするところは、筐体内に設けるマイクロフォンに関して防水性及び遮音性を両立し得る構成を提供することにある。
【課題を解決するための手段】
【０００６】
上記目的を達成するため、特許請求の範囲の請求項１に記載の発明は、
筐体（１１）内にマイクロフォン（５０）が収容される携帯端末（１０）であって、
前記筐体には、前記マイクロフォンの集音面（５２）に対向する開口（１３）が形成され、
前記開口を内側から覆う防水部材（６０）と、
前記防水部材の前記マイクロフォン側の面のうち前記開口が投影される領域の少なくとも一部と前記集音面とを環状に囲って他の筐体内空間と区画する遮音部（７０，７０ａ，７０ｂ）と、
を備えることを特徴とする。
なお、上記各括弧内の符号は、後述する実施形態に記載の具体的手段との対応関係を示すものである。
【発明の効果】
【０００７】
請求項１の発明では、筐体内に収容されるマイクロフォンの集音面に対向する開口が筐体に形成され、この開口を内側から覆う防水部材と、この防水部材のマイクロフォン側の面のうち開口が投影される領域の少なくとも一部と集音面とを環状に囲って他の筐体内空間と区画する遮音部と、が設けられている。
【０００８】
これにより、開口に内側から防水部材を設ける場合でも、遮音部により、開口を介した外部からの発話音等が防水部材と集音面との間から漏れ難くなるので、ボリューム感、クリア感の低下を抑制することができる。そして、内部反響音が、上記防水部材と集音面との間を介して集音され難くなり、内部反響音の影響を抑制することができる。したがって、筐体内に設けるマイクロフォンに関して防水性及び遮音性を両立することができる。
【０００９】
請求項２の発明では、遮音部は、防水部材に対して環状に接着されるため、遮音部と防水部材とが密着されて音が漏れ難くなるので、マイクロフォンに関する遮音性をさらに高めることができる。
【００１０】
請求項３の発明では、遮音部は、マイクロフォンに対して環状に接着されるため、遮音部とマイクロフォンとが密着されて音が漏れ難くなるので、マイクロフォンに関する遮音性をさらに高めることができる。
【００１１】
請求項４の発明では、遮音部は、弾性部材により構成されるため、組み付け時に遮音部を防水部材及びマイクロフォンに対して弾性変形させて押し当てることで、遮音部と防水部材及びマイクロフォンとが密着されて音が漏れ難くなるので、マイクロフォンに関する遮音性をさらに高めることができる。
【００１２】
請求項５の発明では、遮音部は、集音面側から圧入されてマイクロフォンの外周面を覆う圧入面を備えるため、接着剤等を使用することなく遮音部とマイクロフォンとが密着されて音が漏れ難くなるので、マイクロフォンに関する遮音性をさらに高めることができる。
【００１３】
請求項６の発明では、遮音部は、マイクロフォンの集音面が設けられる面のうち当該集音面を囲う外縁部に対して環状に接触する面と圧入面とが連なってなる環状段部を備える。これにより、遮音部とマイクロフォンとが密着する面が増えて音がさらに漏れ難くなるので、マイクロフォンに関する遮音性をより一層高めることができる。
【図面の簡単な説明】
【００１４】
【図１】第１実施形態に係る携帯端末の構成概要を示す説明図であり、図１（Ａ）は平面図を示し、図１（Ｂ）は側面図を示す。
【図２】図１の携帯端末の電気的構成を例示するブロック図である。
【図３】第１実施形態において遮音部と防水シート及びマイクとの位置関係を説明する断面図である。
【図４】マイク用開口側から見た遮音部とマイクとの位置関係を説明する説明図である。
【図５】第１実施形態の変形例において遮音部と防水シート及びマイクとの位置関係を説明する断面図である。
【図６】第２実施形態に係る携帯端末の要部を説明する断面図である。
【発明を実施するための形態】
【００１５】
以下、本発明に係る携帯端末を具現化した第１実施形態について、図面を参照して説明する。
図１に示す携帯端末１０は、携帯型の光学的情報読取装置（例えばバーコードリーダや二次元コードリーダ等）などとして構成されるものであり、長手状の外観をなし、その一端側のほぼ半分の領域が把持領域とされ、ユーザによって把持されつつ使用される構成をなしている。この携帯端末１０は、例えば、ユーザによって携帯されて様々な場所で用いられる携帯型の情報端末として構成されており、バーコードや二次元コードなどの情報コードを光学的に読み取る光学的情報読取機能を有している。また、本実施形態に係る携帯端末１０は、一般的な携帯電話のように、所定の通信網を介して音声信号を送受信する通話機能を備えている。
【００１６】
図１（Ａ）（Ｂ）に示すように、携帯端末１０は、例えばＡＢＳ樹脂等の合成樹脂材料により形成される上側ケース体１１ａ及び下側ケース体１１ｂが組み付けられて構成される長手状の筐体１１によって外郭が形成されている。そして、上側ケース体１１ａには、所定の情報を入力する際に操作されるファンクションキー及びテンキー等の操作部４２や、所定の情報を表示するための表示部（液晶表示器４３）等が配置されている。また、照明光や情報コードからの光の通過口となる読取口１２は、下側ケース体１１ｂの長手方向一方側の先端部寄りに設けられている。また、図１（Ａ）に示すように、上側ケース体１１ａの長手方向他方側には、マイク用開口１３が円形状に形成されている。
【００１７】
図２に示すように、携帯端末１０は、主に、照明光源２１、受光センサ２３、結像レンズ２７等の光学系と、メモリ３５、制御回路４０、操作部４２、液晶表示器４３等のマイクロコンピュータ（以下「マイコン」という）系と、図示しない電源部、電源スイッチ等の電源系と、から構成されている。なお、これらは、図略のプリント配線板に実装されたり、筐体１１内に内装されたりして配置されている。
【００１８】
光学系は、投光光学系と、受光光学系とに分かれている。投光光学系を構成する照明光源２１は、照明光Ｌｆを発光可能な照明光源として機能するもので、例えば、赤色のＬＥＤとこのＬＥＤの出射側に設けられるレンズとから構成されている。なお、図２では、情報コードＣが付された物品Ｒに向けて照明光Ｌｆを照射する例を概念的に示している。
【００１９】
受光光学系は、受光センサ２３、結像レンズ２７、反射鏡（図示略）などによって構成されている。受光センサ２３は、例えば、Ｃ−ＭＯＳやＣＣＤ等の固体撮像素子である受光素子を一次元に配列したラインセンサ、或いは２次元に配列したエリアセンサとして構成されるものであり、受光した受光素子ごとに反射光Ｌｒの強度に応じた電気信号を出力するように構成されている。この受光センサ２３は、結像レンズ２７を介して入射する入射光を受光可能にプリント配線板（図示略）に実装されている。
【００２０】
結像レンズ２７は、外部から読取口１２を介して入射する入射光を集光して受光センサ２３の受光面２３ａに像を結像可能な結像光学系として機能するものである。本実施形態では、照明光源２１から照射された照明光Ｌｆが情報コードにて反射した後、この反射光Ｌｒを結像レンズ２７で集光し、受光センサ２３の受光面２３ａにコード像を結像させている。
【００２１】
マイコン系は、増幅回路３１、Ａ／Ｄ変換回路３３、メモリ３５、アドレス発生回路３６、同期信号発生回路３８、制御回路４０等から構成されている。このマイコン系は、マイコン（情報処理装置）として機能し得る制御回路４０及びメモリ３５を中心として構成され、前述した光学系によって撮像された情報コードＣの画像信号をハードウェア的及びソフトウェア的に信号処理し得るものである。
【００２２】
光学系の受光センサ２３から出力される画像信号（アナログ信号）は増幅回路３１に入力され、この増幅回路３１によって所定ゲインで増幅された後、Ａ／Ｄ変換回路３３に入力され、アナログ信号からディジタル信号に変換される。そして、ディジタル化された画像信号、つまり画像データ（画像情報）は、メモリ３５に入力され、当該メモリ３５の画像データ蓄積領域に蓄積される。なお、同期信号発生回路３８は、受光センサ２３及びアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００２３】
メモリ３５は、例えば半導体メモリ装置などの公知の記憶媒体によって構成され、例えばＲＡＭ、ＲＯＭ、その他の不揮発性メモリなどがこれに相当する。このメモリ３５のうちのＲＡＭには、前述した画像データ蓄積領域のほかに、制御回路４０が算術演算や論理演算等の各処理時に利用する作業領域や読取条件テーブルも確保可能に構成されている。またＲＯＭには、撮像した情報コードをデコードするための読取処理を実行可能なプログラムや通話処理を実行可能なプログラム等、その他、照明光源２１、受光センサ２３等の各ハードウェアを制御可能なシステムプログラム等が制御回路４０により制御可能に予め格納されている。
【００２４】
制御回路４０は、携帯端末１０を全体的に制御可能なマイコンなどによって構成されており、ＣＰＵ、システムバス、入出力インタフェース等からなるものであり、情報処理機能を有している。この制御回路４０には、内蔵された入出力インタフェースを介して種々の入出力装置（周辺装置）が接続されており、図２の構成では、操作部４２、液晶表示器４３、発音部４４、バイブレータ４５、発光部４６、マイク５０、通信インタフェース４８等が接続されている。
【００２５】
操作部４２は、複数のキーによって構成され、ユーザのキー操作に応じて制御回路４０に対して操作信号を与える構成をなしており、制御回路４０は、操作部４２から操作信号を受けたとき、その操作信号に応じた動作を行うように構成されている。液晶表示器４３は、公知の液晶表示パネルによって構成されており、制御回路４０によって表示内容が制御されるようになっている。発音部４４は、公知のスピーカによって構成されており、制御回路４０により制御されて、通話相手の音声やブザー等等を出力（放音）するように機能する。バイブレータ４５は、携帯端末に搭載される公知のバイブレータによって構成されており、制御回路４０からの駆動信号に応じて振動を発生させるように機能する。発光部４６は、例えばＬＥＤであって、制御回路４０からの信号に応じて点灯・点滅するように機能する。通信インタフェース４８は、外部（例えばホスト装置）との間でのデータ通信を行うためのインタフェースとして構成されており、制御回路４０と協働して通信処理を行うように機能する。
【００２６】
マイク５０は、公知のマイクロフォンによって構成されており、制御回路４０により制御されて、上面５１の中央に形成される集音面５２を介して集音した音に対応する音声信号を制御回路４０に出力するように機能する。
【００２７】
次に、マイク５０やマイク用開口１３近傍での遮音構造について、図３及び図４を参照して詳述する。
図３に示すように、マイク５０は、キーボード基板２０に実装されて、その集音面５２にて筐体１１に形成されるマイク用開口１３に対向するように配置されている。なお、マイク用開口１３は、集音面５２よりも僅かに大きくなるように形成されている。マイク用開口１３の筐体内側には、防水部材として機能する防水シート６０がマイク用開口１３を塞ぐように両面テープ６１ａにて接着固定されている。
【００２８】
マイク５０と防水シート６０との間には、ソリッドゴム等の弾性部材からなる遮音部７０が設けられている。この遮音部７０は、略四角柱状の外形であって、上端部７１から下端部７２にかけて円形状の貫通孔７３が中央にて貫通するように構成されている。この貫通孔７３は、同軸的に位置するマイク用開口１３や集音面５２よりも大きくなるように形成されている。下端部７２には、マイク５０の上部に係合可能な円環状段部７４が形成されている。遮音部７０は、上端部７１から円環状段部７４の底面までの長さ（高さ）が、マイク５０の上面５１と防水シート６０の下面との距離よりも僅かに長くなるように形成されている。
【００２９】
このように構成される遮音部７０は、両面テープ６１ｂ，６１ｃを用いて防水シート６０及びマイク５０に接着固定される。具体的には、遮音部７０は、上端部７１にて防水シート６０の下面のうちマイク用開口１３が投影される領域Ｓを貫通孔７３にて環状に囲うように防水シート６０に対して両面テープ６１ｂにて接着固定されている。本実施形態では、上端部７１と防水シート６０の下面との間に接着固定用として介在する両面テープ６１ｂは、貫通孔７３やマイク用開口１３を囲うように円環状に配置されている。なお、防水シート６０の下面は、「防水部材のマイクロフォン側の面」の一例に相当し得る。
【００３０】
また、遮音部７０は、集音面５２を貫通孔７３にて環状に囲うように下端部７２の円環状段部７４がマイク５０の上部に係合しており、円環状段部７４の底面に設けられる両面テープ６１ｃによりマイク５０の上面５１に対して接着固定されている。本実施形態では、下端部７２の円環状段部７４とマイク５０の上面５１との間に接着固定用として介在する両面テープ６１ｃは、貫通孔７３や集音面５２を囲うように円環状に配置されている。
【００３１】
特に、遮音部７０は、上端部７１から円環状段部７４の底面までの長さ（高さ）が、マイク５０の上面５１と防水シート６０の下面との距離よりも僅かに長くなるように形成されているため、組み付け時に遮音部７０が防水シート６０及びマイク５０に対して弾性変形して押し当てられる。この弾性力により、遮音部７０と防水シート６０及びマイク５０とが密着される。
【００３２】
このように構成される携帯端末１０では、制御回路４０による通話処理実行時、マイク用開口１３及び防水シート６０を介して遮音部７０の貫通孔７３内に伝わった発話音（図３の矢印Ｆ１参照）がマイク５０の集音面５２にて集音される。このとき、遮音部７０が防水シート６０及びマイク５０に対して接着固定されているため、上述のように貫通孔７３内に伝わった発話音が他の筐体内空間に漏れ難くなる。
【００３３】
一方、通話処理実行時に筐体１１が叩かれた場合や筐体１１が擦られた場合など、外部からの衝撃等に起因して筐体１１内にて内部反響音（図３の矢印Ｆ２参照）が生じる場合でも、この内部反響音を遮音部７０の貫通孔７３内に伝わり難くすることができる。
【００３４】
以上説明したように、本実施形態に係る携帯端末１０では、筐体１１内に収容されるマイク５０の集音面５２に対向するマイク用開口１３が筐体１１に形成され、このマイク用開口１３を内側から覆う防水シート６０と、この防水シート６０のマイク用開口１３が投影される領域Ｓと集音面５２とを環状に囲って他の筐体内空間と区画する遮音部７０と、が設けられている。
【００３５】
これにより、マイク用開口１３に内側から防水シート６０を設ける場合でも、遮音部７０により、マイク用開口１３を介した外部からの発話音等が防水シート６０と集音面５２との間から漏れ難くなるので、ボリューム感、クリア感の低下を抑制することができる。そして、内部反響音が、防水シート６０と集音面５２との間を介して集音され難くなり、内部反響音の影響を抑制することができる。したがって、筐体１１内に設けるマイク５０に関して防水性及び遮音性を両立することができる。
【００３６】
特に、遮音部７０は、防水シート６０に対して両面テープ６１ｂを用いて環状に接着されるため、遮音部７０と防水シート６０とが密着されて音が漏れ難くなるので、マイク５０に関する遮音性をさらに高めることができる。なお、遮音部７０及び防水シート６０は、両面テープ６１ｂを用いて接着されることに限らず、接着剤等、他の接着部材を用いて環状または部分的に接着されてもよい。
【００３７】
さらに、遮音部７０は、マイク５０に対して両面テープ６１ｃを用いて環状に接着されるため、遮音部７０とマイク５０とが密着されて音が漏れ難くなるので、マイク５０に関する遮音性をさらに高めることができる。なお、遮音部７０及びマイク５０は、両面テープ６１ｃを用いて接着されることに限らず、接着剤等、他の接着部材を用いて環状または部分的に接着されてもよい。
【００３８】
また、遮音部７０は、ソリッドゴム等の弾性部材により構成されるため、組み付け時に遮音部７０が防水シート６０及びマイク５０に対して弾性変形して押し当てられるので、遮音部７０と防水シート６０及びマイク５０とが密着されて音が漏れ難くなるので、マイク５０に関する遮音性をさらに高めることができる。
【００３９】
［第２実施形態］
次に、本発明の第２実施形態に係る携帯端末について、図６を用いて説明する。
本第２実施形態では、マイクが遮音部に圧入されるように組み立てられる点が主に上記第１実施形態と異なる。このため、第１実施形態と実質的に同様の構成部分には同一符号を付して説明を省略する。
【００４０】
図６に示すように、本実施形態では、上述した遮音部７０に代えて、遮音部７０ｂを採用している。この遮音部７０ｂの円環状段部７４は、集音面側から圧入されてマイク５０の外周面５３を覆う円柱面状の圧入面７４ａと、マイク５０の集音面５２が設けられる上面５１のうち当該集音面５２を囲う外縁部に対して円環状に接触する底面７４ｂとが直角に連なるように形成されている。特に、圧入面７４ａは、その内径がマイク５０の外周面５３の外径よりも僅かに小さくなることで外周面５３に対して圧入可能に形成されている。本実施形態では、例えば、圧入面７４ａの内径は、φ３．９ｍｍに設定され、外周面５３の外径は、φ４．０ｍｍに設定されている。
【００４１】
また、遮音部７０ｂは、組み付け時における底面７４ｂとマイク５０の上面５１の外縁部との密着性を向上させるため、上端部７１から円環状段部７４の底面７４ｂまでの長さ（高さ）が、マイク５０の上面５１と防水シート６０の下面との距離よりも僅かに長くなるように形成されている。なお、遮音部７０ｂは、貫通孔７３の中心を基準とする回転方向でのマイク５０に対する圧入位置の自由度を高めるため、外形が略円柱状となるように形成されている。
【００４２】
また、本実施形態では、筐体１１に設けられるマイク用開口１３は、遮音部７０ｂの貫通孔７３よりも小さくなるように形成されている。
【００４３】
このように構成される遮音部７０ｂは、マイク５０に圧入された後に、マイク用開口１３を内側から覆う防水シート６０に対して上端部７１にて押し付けられることで、図６に示す組み付け状態となる。
【００４４】
より詳細には、まず、遮音部７０ｂを、キーボード基板２０に実装されたマイク５０に対して、円環状段部７４の圧入面７４ａにてマイク５０の外周面５３を覆うように圧入し、底面７４ｂがマイク５０の上面５１の外縁部に接触するまで押し込むことで、圧入が完了する。その後、キーボード基板２０等が組み付けられた下側ケース体１１ｂと、防水シート６０がマイク用開口１３を塞ぐように接着固定された上側ケース体１１ａとを組み付ける際に、遮音部７０ｂが上端部７１にて防水シート６０に対して押し付けられることで、図６に示す組み付け状態となる。
【００４５】
この組み付け状態では、遮音部７０ｂは、円環状段部７４の圧入面７４ａにてマイク５０の外周面５３を覆うように圧入されている。すなわち、遮音部７０ｂは、集音面側から圧入されてマイク５０の外周面５３を覆う圧入面７４ａを備えるため、接着剤等を使用することなく遮音部７０ｂとマイク５０とが密着されて音が漏れ難くなるので、マイク５０に関する遮音性をさらに高めることができる。
【００４６】
特に、遮音部７０ｂは、円環状段部７４の圧入面７４ａにてマイク５０の外周面５３を覆うように圧入され、円環状段部７４の底面７４ｂがマイク５０の上面５１の外縁部に接触するまで押し込まれている。すなわち、遮音部７０ｂは、マイク５０の集音面５２が設けられる上面５１のうち当該集音面５２を囲う外縁部に対して環状に接触する底面７４ｂと圧入面７４ａとが連なってなる円環状段部７４を備える。これにより、遮音部７０ｂとマイク５０とが密着する面が増えて音がさらに漏れ難くなるので、マイク５０に関する遮音性をより一層高めることができる。
【００４７】
さらに、遮音部７０ｂは、上端部７１から円環状段部７４の底面７４ｂまでの長さ（高さ）が、マイク５０の上面５１と防水シート６０の下面との距離よりも僅かに長くなるように形成されている。このため、組み付け時に遮音部７０ｂが防水シート６０及びマイク５０に対して弾性変形して押し当てられて、この弾性力により遮音部７０ｂの円環状段部７４の底面７４ｂとマイク５０の上面５１の外縁部との密着性が向上することで、マイク５０に関する遮音性をより一層高めることができる。
【００４８】
そして、このような密着性の向上により、上記第１実施形態にて述べた両面テープ６１ｂ，６１ｃが不要となるので、部品点数の削減や組み付け作業工数の削減を実現でき、製造コストの低減を図ることができる。さらに、遮音部７０ｂとマイク５０との位置関係が固定された状態で組み付けられるので、先に防水シート６０とともに上側ケース体１１ａに接着された遮音部をマイク５０に係合させる場合と比較して、集音面５２に対する遮音部７０ｂの位置ずれをなくすことができ、遮音部の位置ずれに起因する遮音性の低下を確実に防止することができる。
【００４９】
なお、防水シート６０は、先に遮音部７０ｂに両面テープ等により接着された後、下側ケース体１１ｂと上側ケース体１１ａとの組み付け時に、マイク用開口１３を塞ぐように上側ケース体１１ａに押し付けられるように組み付けられてもよい。
【００５０】
なお、本発明は上記各実施形態に限定されるものではなく、例えば、以下のように具体化してもよい。
（１）マイク５０と防水シート６０との間に設けられる遮音部は、上述した遮音部７０，７０ｂのように円環状段部７４にてマイク５０の上部に係合するようにしてマイク５０に接着固定されることに限らず、例えば、図５に例示する遮音部７０ａのように、平面状に形成される下端部７２ａにて上面５１との間の両面テープ６１ｃを利用してマイク５０に接着固定されてもよい。
【００５１】
（２）遮音部７０，７０ｂは、貫通孔７３にて、防水シート６０のマイク用開口１３が投影される領域Ｓと集音面５２とを環状に囲って他の筐体内空間と区画するように形成されることに限らず、防水シート６０のマイク５０側の面（下面）のうちマイク用開口１３が投影される領域の少なくとも一部と集音面５２とを環状に囲って他の筐体内空間と区画するように形成されてもよい。
【００５２】
（３）弾性部材により構成される遮音部７０が防水シート６０及びマイク５０に対して弾性変形して押し当てられることを前提に、遮音部７０及び防水シート６０間の両面テープ６１ｂと遮音部７０及びマイク５０間の両面テープ６１ｃとの少なくとも一方を除くように構成されてもよい。
【００５３】
（４）遮音部は、ソリッドゴム等の弾性部材により構成されることに限らず、防水シート６０との間やマイク５０との間を両面テープ６１ｂ，６１ｃ等を用いて接着することを前提に、遮音性を高めた低弾性の部材により構成されてもよい。
【００５４】
（５）本発明は、上述したように光学的情報読取機能及び通話機能を兼備する携帯端末に適用されることに限らず、例えば、さらに無線通信機能を兼備する携帯端末や通話機能に他の機能を加えた携帯端末等、筐体内にマイク５０（マイクロフォン）が収容される携帯端末に適用することができる。
【００５５】
（６）遮音部７０の下端部７２には、円柱状のマイク５０の上部に係合可能に円環状段部７４が形成されることに限らず、例えば、四角柱状等にマイク５０が形成される場合などには、その外形形状に係合可能に環状段部が形成されてもよい。また、遮音性を高めるため、環状段部の内周面とマイク５０の外周面との間を両面シートや接着剤等の接着部材を用いて接着してもよい。
【符号の説明】
【００５６】
１０…携帯端末
１１…筐体
１３…マイク用開口（開口）
５０…マイク（マイクロフォン）
５２…集音面
６０…防水シート（防水部材）
６１ａ〜６１ｃ…両面テープ
７０，７０ａ，７０ｂ…遮音部
７４…円環状段部（環状段部）
７４ａ…圧入面
７４ｂ…底面
【図１】
2018019391.tif 000003
【図２】
2018019391.tif 000004
【図３】
2018019391.tif 000005
【図４】
2018019391.tif 000006
【図５】
2018019391.tif 000007
【図６】
2018019391.tif 000008